(57)【要約】【課題】第１の外部装置と無線接続する場合であっても、ユーザが利便性を損うことなく、第２の外部装置と無線接続して当該第２の外部装置の画面を表示させる。【解決手段】一実施形態に係る表示制御装置は無線通信手段と受付手段と受信制御手段と表示制御手段とを備える。無線通信手段はアクセス・ポイント及び外部装置の少なくとも一方と無線接続する。受付手段はアクセス・ポイントと第１のチャンネルで無線接続しているときに外部装置と接続を行うための待機状態に移行させる操作を受け付ける。受信制御手段は受付手段の操作の受け付けで待機状態に移行した際にアクセス・ポイントとの無線接続を切断し全てのチャンネルで外部装置からの接続要求を受信する。表示制御手段は受信制御手段が外部装置からの接続要求を受信して無線通信手段が外部装置と第２のチャンネルで無線接続した場合に、外部装置から受信する画面情報を表示する。【選択図】図３
2012199620.tif 000002
【特許請求の範囲】
【請求項１】
アクセス・ポイント及び外部装置の少なくとも一方と無線接続する無線通信手段と、
前記アクセス・ポイントと第１のチャンネルで無線接続しているときに、外部装置と接続を行うための待機状態に移行させる操作を受け付ける受付手段と、
前記受付手段の操作の受け付けで前記待機状態に移行した際に前記アクセス・ポイントとの無線接続を切断し、全てのチャンネルで前記外部装置からの接続要求を受信する受信制御手段と、
前記受信制御手段が前記外部装置からの接続要求を受信して、前記無線通信手段が前記外部装置と第２のチャンネルで無線接続した場合に、前記外部装置から受信する該外部装置の画面情報を表示する表示制御手段と、
を備えた表示制御装置。
【請求項２】
前記受付手段の操作の受け付けで前記待機状態に移行してから所定の時間が経過した場合に、前記待機状態を解除させる制御手段を更に備えた請求項１に記載の表示制御装置。
【請求項３】
前記無線通信手段が前記外部装置との無線接続を切断したとき、又は、前記制御手段が待機状態を解除したとき、前記無線通信手段は、前記アクセス・ポイントとの無線接続が切断していた場合に、前記アクセス・ポイントと前記第１のチャンネルで再接続する請求項１に記載の表示制御装置。
【請求項４】
前記第１のチャンネルと前記第２のチャンネルが同一であった場合に、前記受信制御手段が前記外部装置からの接続要求を受信すると、前記無線通信手段が前記外部装置及び前記アクセス・ポイントと前記第１のチャンネルで無線接続する請求項２に記載の表示制御装置。
【請求項５】
前記無線通信手段が前記外部装置と第２のチャンネルで無線接続した際に、前記第１のチャンネルと前記第２のチャンネルとが異なる場合、前記表示制御手段は、前記第２のチャンネルを前記第１のチャンネルと同一に設定するよう促す画面を表示する請求項１に記載の表示制御装置。
【請求項６】
前記受付手段の操作の受け付けで前記待機状態に移行した際に、前記表示制御手段は、ネットワークを介した機能が利用できなくなる旨表示された画面を表示する請求項１に記載の表示制御装置。
【請求項７】
表示制御装置で実行される表示制御方法であって、
無線通信手段が、アクセス・ポイントと無線接続するステップと、
受付手段が、前記アクセス・ポイントと第１のチャンネルで無線接続しているときに、外部装置と接続を行うための待機状態に移行させる操作を受け付けるステップと、
受信制御手段が、前記受付手段の操作の受け付けで前記待機状態に移行した際に前記アクセス・ポイントとの無線接続を切断し、全てのチャンネルで前記外部装置からの接続要求を受信するステップと、
表示制御手段が、前記受信制御手段が前記外部装置からの接続要求を受信して、前記無線通信手段が前記外部装置と第２のチャンネルで無線接続した場合に、前記外部装置から受信する該外部装置の画面情報を表示するステップと、
を有する表示制御方法。
【発明の詳細な説明】
【技術分野】
【０００１】
本発明の実施形態は、表示制御装置、及び表示制御方法に関する。
【背景技術】
【０００２】
従来から、テレビジョン装置の内部処理部は高性能化する傾向がある。これにより、無線通信を介して、ＰＣの表示画面を、テレビジョン装置に表示する、いわゆるリモート・ディスプレイの技術が提案されている（非特許文献１）。
【０００３】
また、近年では、無線のアクセス・ポイント（ＡＰ：Access Point）に接続することが可能な、ネットワーク機能を備えたテレビジョン装置が開発されるようになってきている。
【先行技術文献】
【非特許文献】
【０００４】
【非特許文献１】“Intel（登録商標） Wireless Display”、[online]、[平成２３年３月８日(火)検索]、<URL:http://www.intel.com/consumer/products/technology/wirelessdisplay.htm>
【発明の概要】
【発明が解決しようとする課題】
【０００５】
しかしながら、テレビジョン装置が上記ＡＰに接続していると、当該ＡＰで利用している無線チャンネル以外からのリモート・ディスプレイ機器検索や接続要求に応答できない等、ハードウェアの制約がある場合が多い。
【０００６】
本発明は、上記に鑑みてなされたものであって、第１の外部装置と無線接続する場合であっても、ユーザが利便性を損うことなく、第２の外部装置と無線接続して当該第２の外部装置の画面を表示させる表示制御装置、及び表示制御方法を提供することを目的とする。
【課題を解決するための手段】
【０００７】
一実施形態に係る表示制御装置は、無線通信手段と、受付手段と、受信制御手段と、表示制御手段と、を備える。無線通信手段は、アクセス・ポイント及び外部装置の少なくとも一方と無線接続する。受付手段は、アクセス・ポイントと第１のチャンネルで無線接続しているときに、外部装置と接続を行うための待機状態に移行させる操作を受け付ける。受信制御手段は、受付手段の操作の受け付けで待機状態に移行した際にアクセス・ポイントとの無線接続を切断し、全てのチャンネルで外部装置からの接続要求を受信する。表示制御手段は、受信制御手段が外部装置からの接続要求を受信して、無線通信手段が外部装置と第２のチャンネルで無線接続した場合に、外部装置から受信する画面情報を、自装置に接続された表示装置に表示させる。
【図面の簡単な説明】
【０００８】
【図１】図１は、第１の実施形態の全体構成を示す図。
【図２】図２は、第１の実施形態に係るテレビジョン放送受信装置のハードウェア構成を示す図。
【図３】図３は、第１の実施形態に係るテレビジョン放送受信装置における、画面遷移を示す図。
【図４】図４は、ＰＣにおける、接続先のテレビジョン放送受信装置を選択する一覧画面の例を示す図。
【図５】図５は、第１の実施形態に係るテレビジョン放送受信装置における、接続待ち画面の例を示す図。
【図６】図６は、第１の実施形態に係るテレビジョン放送受信装置における、ＰＩＮコードの表示画面の例を示す図。
【図７】図７は、第１の実施形態に係るテレビジョン放送受信装置における、警告画面の例を示す図。
【図８】図８は、第１の実施形態に係るテレビジョン放送受信装置における、リモート・ディスプレイを実現する接続処理の手順を示すフローチャート。
【図９】図９は、第１の実施形態に係るテレビジョン放送受信装置における、リモート・ディスプレイを実現する接続処理の手順を示すフローチャート。
【発明を実施するための形態】
【０００９】
（第１の実施形態）  
図１は、第１の実施形態の全体構成を示す図である。図１に示すように、家庭内に、テレビジョン放送受信装置１００と、当該テレビジョン放送受信装置１００を操作するリモート・コントローラ１１０と、ＡＰ１３０と、パーソナル・コンピュータ（ＰＣ：Personal Computer）１５０と、が存在する例とする。
【００１０】
そして、放送局１８０からの放送を受信し、表示を行うテレビジョン放送受信装置１００は、無線通信を介して接続されたＰＣ１５０から受信した表示画面を表示可能な機能を有している。当該機能を用いることで、テレビジョン放送受信装置１００は、ＰＣ１５０及びテレビジョン放送受信装置１００に対する操作に従って、ＴＶ番組を再生している状態から、ＰＣ１５０の画面の表示に切り替えることができる。当該表示の切り替えを行う際に、テレビジョン放送受信装置１００の画面上に表示されたＰＩＮ（Personal Identification Number）コードを、ＰＣ１５０に入力する必要がある。
【００１１】
本実施形態に係るＰＩＮコードは、表示する毎にランダムに生成される番号の組合せであって、テレビジョン放送受信装置１００に接続するための暗証番号とする。つまり、テレビジョン放送受信装置１００に表示されたＰＩＮコードをＰＣ１５０に入力し、ＰＣ１５０からテレビジョン放送受信装置１００に当該ＰＩＮコードを送信することで、リモート・ディスプレイを行うための相互間の通信が確立される。
【００１２】
また、テレビジョン放送受信装置１００は、ＡＰ１３０との無線通信を介して、インターネット接続等のネットワーク・サービスを利用することができる。
【００１３】
図２は、テレビジョン放送受信装置１００のハードウェア構成を示す図である。図２は、上記したテレビジョン放送受信装置１００の主要な信号処理系を示すブロック図である。
【００１４】
図２に示すように、その入力側に放送波受信用のアンテナ２０１が接続される。また、テレビジョン放送受信装置１００は、外部の表示装置や音声出力装置に直接に、ユーザは、テレビジョン放送受信装置１００に設けられた（図示しない）操作部を介して本装置の操作を行えるほか、赤外線通信によるリモート・コントローラ１１０を介した操作が可能である。
【００１５】
テレビジョン放送受信装置１００は、受信したデジタル・テレビジョン放送信号をデコードすることにより放送番組を表示し、ユーザは受信した放送番組を視聴できるようになっている。また、外部の表示装置や音声出力装置を利用して放送番組を視聴できるようにもなっており、受信した放送番組を記録することも可能である。
【００１６】
なお、図２に示すテレビジョン放送受信装置１００は、放送波受信用に複数のチューナ等の受信回路を備える構成としてもよい。
【００１７】
地上波放送受信用のアンテナ２０１で受信した地上デジタル・テレビジョン放送信号は、入力端子２０２を介して地上デジタル放送用のチューナ２０３に供給される。
【００１８】
チューナ２０３は、処理部２０５からの制御信号により所望のチャネルの放送信号を選局し、この選局された放送信号を復調器２０４ａに出力する。
【００１９】
復調器２０４ａは、処理部２０５からの制御信号により、チューナ２０３で選局された放送信号を復調し、所望の番組を含んだトランスポートストリーム（ＴＳ：Transport Stream）を得て、復号器２０４ｂに出力する。
【００２０】
復号器２０４ｂは、処理部２０５からの制御信号によりＴＳ多重化された信号のＴＳ復号処理を行い、所望の番組のデジタルの映像信号及び音声信号をデパケットすることにより得たＰＥＳ（Packetized Elementary Stream）を信号処理部２０６内のＳＴＤバッファへ出力する。また、復号器２０４ｂは、デジタル放送により送られているセクション情報を信号処理部２０６内のセクション部２３２へ出力する。
【００２１】
ここで、信号処理部２０６は、デコーダ２３１とセクション部２３２とを備え、入力された信号の処理を行う。
【００２２】
デコーダ２３１は、テレビ視聴時には、復号器２０４ｂから供給されたデジタルの映像信号及び音声信号に対して、選択的に所定のデジタル信号処理を施し、グラフィック処理部２０７及び音声処理部２０８に出力する。一方、番組録画時には、復号器２０４ｂから供給されたデジタルの映像信号及び音声信号に対して、選択的に所定のデジタル信号処理を施した信号を、処理部２０５を介して記録装置（例えば、ＨＤＤ）２７０に記録する。
【００２３】
また、デコーダ２３１は、録画番組再生時には、処理部２０５を介して記録装置（例えば、ＨＤＤ）２７０から読み出された録画番組のデータに、所定のデジタル信号処理を施し、グラフィック処理部２０７及び音声処理部２０８に出力している。
【００２４】
さらに、デコーダ２３１は、ＰＣ１５０の表示画面表示時には、処理部２０５を介してＰＣ１５０から受信したデータに、所定のデジタル信号処理を施し、グラフィック処理部２０７及び音声処理部２０８に出力している。
【００２５】
処理部２０５には、信号処理部２０６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。処理部２０５は、これら入力された情報からＥＰＧ、字幕を表示するため画像生成処理を行い、この生成した画像情報をグラフィック処理部２０７へ出力する。
【００２６】
また、この処理部２０５は、番組録画および番組予約録画を制御する機能を有し、番組予約受付時には、表示装置２１１に電子番組ガイド（ＥＰＧ）情報を表示し、操作部２２０またはリモート・コントローラ１１０を介したユーザ入力により予約内容を所定の記憶手段に設定する。そして、設定された時刻に予約番組を録画するようチューナ２０３、復調器２０４ａ、復号器２０４ｂおよび信号処理部２０６を制御する。
【００２７】
セクション部２３２は、復号器２０４ｂから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を処理部２０５へ出力する。
【００２８】
グラフィック処理部２０７は、（１）信号処理部２０６内のデコーダ２３１から供給されるデジタルの映像信号と、（２）ＯＳＤ（On Screen Display）信号生成部２０９で生成されるＯＳＤ信号と、（３）データ放送による画像データと、（４）処理部２０５により生成されたＥＰＧ、字幕信号とを合成して映像処理部２１０へ出力する機能を有する。また、字幕放送による字幕を表示するとき、グラフィック処理部２０７は、処理部２０５からの制御による字幕情報に基づき、映像信号上に字幕情報を重畳する処理を行う。
【００２９】
グラフィック処理部２０７から出力されたデジタルの映像信号は、映像処理部２１０に供給される。この映像処理部２１０は、入力されたデジタルの映像信号を、表示装置２１１で表示可能なアナログ映像信号に変換した後、表示装置２１１に出力して映像表示させる。また、出力端子２１２を介して外部の表示装置（図示せず）に、当該表示装置で表示可能なフォーマットの映像信号を出力して映像表示させることもできる。
【００３０】
また、上記音声処理部２０８は、入力されたデジタルの音声信号を、音声出力装置２１３で再生可能なアナログ音声信号に変換した後、音声出力装置２１３に出力して音声を再生させる。また、出力端子２１４を介して外部の音声出力装置（図示せず）に、当該音声出力装置で再生可能なフォーマットの音声信号を出力して音声再生させることもできる。
【００３１】
ここで、このテレビジョン放送受信装置１００は、上記した各種の受信動作を含むその全ての動作を処理部２０５によって統括的に制御されている。この処理部２０５は、ＣＰＵ（Central Processing Unit）等を内蔵しており、操作部２２０からの操作情報を受け、または、リモート・コントローラ１１０から送出された操作情報を、受光部２２１を介して受信し、その操作内容（例えば、チャネル切換操作など）が反映されるように各部をそれぞれ制御している。
【００３２】
この場合、処理部２０５は、主として、そのＣＰＵが実行する制御プログラムを格納したＲＯＭ（Read Only Memory）２０５ａと、当該ＣＰＵに作業エリアを提供するＲＡＭ（Random Access Memory）２０５ｂと、各種の設定情報、制御情報及び番組情報等が格納されるフラッシュメモリなどの不揮発性メモリ２０５ｃとを利用している。
【００３３】
また、上記処理部２０５は、Ｗｉ−Ｆｉ通信Ｉ／Ｆ２２２を介して無線ＬＡＮ端子２２３に接続されている。これにより、処理部２０５は、無線ＬＡＮ端子２２３に、無線通信回線を介して接続されたＬＡＮ対応の機器（例えば、例えばＡＰ１３０やＰＣ１５０）と、Ｗｉ−Ｆｉ通信Ｉ／Ｆ２２２と、を介して情報伝送することができる。
【００３４】
また、処理部２０５は、リモート表示部２５０を備えている。図２に示すように、リモート表示部２５０は、受付部２５１と、制御部２５２と、表示制御部２５３と、取得部２５４と、受信制御部２５５と、を備えている。
【００３５】
ここで、リモート・ディスプレイを実現するための構成である、テレビジョン放送受信装置１００のリモート表示部２５０の各構成について説明する。
【００３６】
受付部２５１は、ＰＣ１５０と接続を行うための待機状態に移行させる待機要求の操作を受け付ける。当該待機要求の操作は、例えばリモート・コントローラ１１０の所定のボタンの押下や、テレビジョン放送受信装置１００が備えたボタンの押下などとする。
【００３７】
制御部２５２は、リモート・ディスプレイを実現するための様々な制御を行う。例えば、受付部２５１が待機要求の操作を受け付けた場合に、テレビジョン放送受信装置１００を接続待ち状態に移行させる制御を行う。
【００３８】
表示制御部２５３は、リモート・ディスプレイを実現するために、様々な情報を、テレビジョン放送受信装置１００の表示装置２１１に表示する。例えば、表示制御部２５３は、受付部２５１が待機要求の操作を受け付け、制御部２５２が接続待ち状態に移行させた際に、テレビジョン放送受信装置１００を識別するＩＤを、表示装置２１１に表示する。ユーザが、当該表示を視認することで、ＰＣ１５０のリモート・ディスプレイ・アプリケーション上で接続先を示すＩＤを選択できる。
【００３９】
次に、図２〜図９を参照して、テレビジョン放送中の画面表示から、ＰＣ１５０と接続を開始して、ＰＣ１５０の画面をテレビジョン放送受信装置１００の表示装置２１１にリモート・ディスプレイを行う際の手順について説明する。
【００４０】
図３は、本実施形態に係るテレビジョン放送受信装置１００の画面遷移を示す図である。ここではまず、テレビジョン放送受信装置１００が、ＡＰ１３０に無線接続する機能を有しており、当該ＡＰ１３０に第１のチャンネルで無線接続している例を想定している。
【００４１】
図３に示すように、テレビジョン放送受信装置１００が、放送波の番組を表示する放送画面３０１を表示している際に、受付部２５１がリモート・コントローラ１１０等を介してテレビジョン放送受信装置１００に対するリモート接続操作を受け付けた場合に、接続待ち状態に移行し、表示制御部２５３が、接続待ち画面３０２を表示する。このとき、処理部２０５は、Ｗｉ−Ｆｉ通信Ｉ／Ｆ２２２を介して無線ＬＡＮ端子２２３に接続されているＡＰ１３０との無線接続を切断し、全てのチャンネルで接続待ちの状態とする。
【００４２】
図４は、ＰＣ１５０のリモート・ディスプレイ・アプリケーションから、接続先のテレビジョン放送受信装置を選択する一覧画面４００の例を示す図である。図４に示すように、本実施形態に係る一覧画面４００では、表示制御部２５３が、テレビジョン放送受信装置を識別するためのＩＤと、メーカ名と、テレビジョン放送受信装置の機種と、を一覧表示する。テレビジョン放送受信装置を識別するためのＩＤは、テレビジョン放送受信装置を識別するためのＩＤであり、テレビジョン放送受信装置が放送波の番組を表示する放送画面３０１を表示している際に接続待ち状態に移行した場合に、表示されるＩＤとする。つまり、ユーザは、テレビジョン放送受信装置が接続待ち状態に移行した場合に表示されるＩＤを視認したあと、ＰＣ１５０に一覧表示されたＩＤを選択することで、所望のテレビジョン放送受信装置を接続先として選択できる。
【００４３】
図５は、接続待ち画面５００（接続待ち画面３０２の詳細）の例を示す図である。図５に示すように、接続待ち画面５００においては、表示制御部２５３が、テレビジョン放送受信装置１００を識別するＩＤの他に、テレビジョン放送受信装置１００のメーカ名及び機種を表示する。また、接続画面５００においては、表示制御部２５３が、テレビジョン放送受信装置１００とＡＰ１３０との無線接続が切断されており、その切断の影響により、ネットワークを介した機能を利用できない可能性がある旨表示する。このようなネットワークを介した機能としては、例えば、インターネットのブラウザ機能、デジタル・メディア・プレーヤ（Digital Media Player）またはデジタル・メディア・レンダラ（Digital Media Renderer）の機能がある。
【００４４】
図２に戻り、制御部２５２は、受付部２５１が待機要求の操作を受け付けて接続待ち状態に移行した後、所定の時間が経過（タイムアウト）した場合に、当該接続待ち状態を解除させる制御を行う。なお、この所定の時間は、ユーザの利便性を考慮して実施の態様毎に適切な時間が設定されるものとする。これにより、表示制御部２５３は、接続待ち画面３０２から、放送画面３０１に遷移させるとともに、処理部２０５は、Ｗｉ−Ｆｉ通信Ｉ／Ｆ２２２を介して無線ＬＡＮ端子２２３とＡＰ１３０とを第１のチャンネルで無線接続させる。
【００４５】
受信制御部２５５は、ＰＣ１５０から、リモート・ディスプレイを実現するために、様々な情報を受信する。例えば、受信制御部２５５は、ＰＣ１５０から、表示されたＩＤで識別されるテレビジョン放送受信装置１００に対する接続要求を受信する。
【００４６】
そして、テレビジョン放送受信装置１００の受信制御部２５５が、接続待ち状態中に、ＰＣ１５０からＩＤで特定される自装置に対する接続要求（ユーザによるキーボードのキー操作により送信される命令等）を受信した場合に、表示制御部２５３は、図３の接続開始画面３０３を表示する。そして、テレビジョン放送受信装置１００は、第２のチャンネルでＰＣ１５０と無線通信するようになる。なお、第２のチャンネルは、前述の第１のチャンネルと同一である場合もあるし、異なる場合もある。
【００４７】
当該接続開始画面３０３を表示した後、表示制御部２５３は、ＰＩＮコードを、ＰＩＮコードの表示画面３０４に表示する。ＰＩＮコードは、ＰＣ１５０をテレビジョン放送受信装置１００に無線接続する際のセキュリティを保持するために、テレビジョン放送受信装置内でランダムに生成された番号の組み合わせとするＷＰＳ（Wi-Fi Protected Setup)のＰＩＮコードとする。
【００４８】
図６は、ＰＩＮコードの表示画面６００（表示画面３０４の詳細）の例を示す図である。図６に示すように、表示画面６００においては、ＰＣ１５０をテレビジョン放送受信装置１００と無線接続するためのＰＩＮコードが表示される。
【００４９】
そして、ユーザは当該ＰＩＮコードを、ＰＣ１５０のリモート・ディスプレイ・アプリケーションに対して入力操作すると、その後、ＰＣ１５０は、テレビジョン放送受信装置１００に対して、ＰＩＮコードを送信する。これにより、受信制御部２５５は、ＰＣ１５０から、ＰＩＮコードを受信する。
【００５０】
そして、受信制御部２５５がＰＩＮコードを受信した場合に、ＰＣ１５０とテレビジョン放送受信装置１００との間でリモート・ディスプレイを行うための無線通信が確立する。そして、表示制御部２５３は、ＰＣ１５０から送信されるデータに従って、当該ＰＣ１５０に表示された画面と同一の画面３０５を、表示装置２１１に表示する。
【００５１】
図２に戻り、取得部２５４は、受信制御部２５５がＰＩＮコードを受信してＰＣ１５０と無線通信を開始した場合に、ＰＣ１５０から、ＰＣ１５０を識別する識別情報を取得する。そして、取得部２５４は、取得した識別情報を、不揮発性メモリ２０５ｃに記憶する。ＰＣ１５０を識別する識別情報は、ＰＣ１５０を識別可能な情報であればよく、例えばＭＡＣアドレスなどが含まれていてもよい。
【００５２】
これにより、それ以降、不揮発性メモリ２０５ｃに記憶された識別情報で識別されるＰＣ１５０から通信要求を受け付けた場合、制御部２５２は、テレビジョン放送受信装置１００が接続状態に移行していなくとも、ＰＣ１５０とテレビジョン放送受信装置１００との間の無線通信を確立させる。すなわち、ＰＣ１５０からリモート接続が以前行われていた場合には、表示制御部２５５は、接続開始画面３０３から、ＰＩＮコードの表示画面３０４に遷移させることなく、ＰＣに表示されていた画面と同一の画面３０５の表示に遷移させる。その後、制御部２５２は、ＰＣ１５０から受信する画面情報を、表示装置２１１に表示させるよう表示制御部２５３を制御する。
【００５３】
なお、本実施形態においては、画面３０５の表示前に、表示制御部２５３が、図７に示すような画面７００を表示させる。これは、テレビジョン放送受信装置１００とＡＰ１３０との接続に使用されるチャンネルと、テレビジョン放送受信装置１００とＰＣ１５０との接続に使用されるチャンネルとが異なる場合、ハードウェア上の制約から、ＰＣ１５０の画面をテレビジョン放送受信装置１００に表示させることができなくなる可能性があるからである。本実施形態において、表示制御部２５５は、画面７００を所定の時間表示した後、当該画面７００を表示させなくする。または、ユーザのリモート・コントローラ１１０のボタンの押下操作等により、表示制御部２５５は、当該画面７００を表示させなくしてもよい。
【００５４】
ＰＣ１５０に対する入力操作により、テレビジョン放送受信装置１００に対するリモート・ディスプレイの切断要求がされた場合や、リモート・ディスプレイの表示中にエラーが生じた場合、表示制御部２５３は、ＰＣ１５０に表示されていた画面と同一の画面３０５の表示から、放送波の番組を表示する放送画面３０１の表示に遷移させる。その際、テレビジョン放送受信装置１００とＡＰ１３０との間の無線接続が切断されている場合は、テレビジョン放送受信装置１００の処理部２０５が、Ｗｉ−Ｆｉ通信Ｉ／Ｆ２２２を介して無線ＬＡＮ端子２２３とＡＰ１３０とを第１のチャンネルで無線接続させる。
【００５５】
また、テレビジョン放送受信装置１００とＰＣ１５０との無線接続が切断された後、テレビジョン放送受信装置１００は放送画面３０１を表示する。このとき、処理部２０５により、テレビジョン放送受信装置１００とＡＰ１３０との無線接続のチャンネル（第１のチャンネル）と、テレビジョン放送受信装置１００とＰＣ１５０との無線接続のチャンネル（第２のチャンネル）とが同一であると判断されたとする。すると、テレビジョン放送受信装置１００の受信制御部２５５が、ＰＣ１５０からＩＤで特定される自装置に対する接続要求を受信した場合、表示制御部２５３は、図３の接続待ち画面３０２を表示させることなく、図３の接続開始画面３０３を表示する。そして、テレビジョン放送受信装置１００は、第２のチャンネル（すなわち、第１のチャンネル）でＰＣ１５０と無線通信するようになる。
【００５６】
次に、本実施形態に係るテレビジョン放送受信装置１００における、ＰＣ（例えばＰＣ１５０）のリモート・ディスプレイを実現するための接続処理について説明する。図８及び図９は、本実施形態に係るテレビジョン放送受信装置１００における上述した処理の手順を示すフローチャートである。
【００５７】
まず、表示制御部２５３が、放送中の番組を、放送画面として表示制御する（ステップＳ８０１）。
【００５８】
次に、処理部２０５が、テレビジョン放送受信装置１００−ＡＰ１３０間の無線接続の第１のチャンネルと、テレビジョン放送受信装置１００−ＰＣ１５０間の無線接続の第２のチャンネルとが同一か否かを判断する（ステップＳ８０２）。
【００５９】
第１のチャンネルと第２のチャンネルとが同一であった場合、処理はステップＳ８０６に進む。
【００６０】
一方、第１のチャンネルと第２のチャンネルとが同一でなかった場合、受付部２５１が、リモート・コントローラ１１０等から、接続待ちに移行する操作を受け付けたかを検出する（ステップＳ８０３）。接続待ちに移行する操作を受け付けなかった場合（ステップＳ８０３：Ｎｏ）、ステップＳ８０１に戻り、表示制御部２５３が、継続して、放送画面の表示制御を行う。
【００６１】
それに対して、接続待ちに移行する操作を受け付けた場合（ステップＳ８０３：Ｙｅｓ）、制御部２５２が、接続待ち状態に移行させ（ステップＳ８０４）、処理部２０５が、ＡＰ１３０との無線接続を切断し、全てのチャンネルで接続待ちの状態とする（ステップＳ８０５）。その後、表示制御部２５３が、接続待ち画面において、テレビジョン放送受信装置１００を識別するＩＤを表示制御する（ステップＳ８０６）。
【００６２】
その後、受信制御部２５５が、ＰＣ１５０からの接続開始の要求を受け付けたか否かを判定する（ステップＳ８０７）。接続開始の要求を受け付けなかった場合（ステップＳ８０７：Ｎｏ）、制御部２５２が、所定の時間が経過したか否かを判定する（ステップＳ８０８）。所定の時間が経過していないと判定した場合（ステップＳ８０８：Ｎｏ）、ステップＳ８０７に戻り、受信制御部２５５が、ＰＣ１５０からの接続開始の要求を受け付けたか否かを判定する（ステップＳ８０７）。一方、所定の時間が経過したと判定した場合（ステップＳ８０８：Ｙｅｓ）、制御部２５２は、接続待ち状態を解除して（ステップＳ８１０）、再び表示制御部２５３が、放送中の番組を表示制御する（ステップＳ８０１）。
【００６３】
また、ステップＳ８０７において、受信制御部２５５が、ＰＣ１５０からの接続開始の要求を受け付けた場合（ステップＳ８０７：Ｙｅｓ）、表示制御部２５３が、接続開始した旨を表示する（ステップＳ８０９）。
【００６４】
その後、制御部２５２が、接続開始の要求を行ったＰＣ１５０の識別情報が、不揮発性メモリ２０５ｃに記憶済みか否かを判定する（図９：ステップＳ８１１）。不揮発性メモリ２０５ｃに記憶済みと判定した場合（ステップＳ８１１：Ｙｅｓ）、ＰＣ１５０との間の無線通信を確立した後、表示制御部２５３が、ＰＣ１５０の表示画面と同一の画面を表示制御する（図９：ステップＳ８１５）。
【００６５】
一方、不揮発性メモリ２０５ｃに記憶済みではないと判定した場合（ステップＳ８１１：Ｎｏ）、新規のＰＣ１５０からの接続要求として、表示制御部２５３が、ＰＩＮコードを画面上に表示制御する（図９：ステップＳ８１２）。そして、受信制御部２５５は、ＰＣ１５０からＰＩＮコードを受信したか否かを判定する（図９：ステップＳ８１３）。受信がない場合（ステップＳ８１３：Ｎｏ）には、表示制御部２５３が、継続してＰＩＮコードの表示制御を行う（ステップＳ８１２）。
【００６６】
一方、受信制御部２５５が、ＰＩＮコードを受信したと判定した場合（ステップＳ８１３：Ｙｅｓ）、制御部２５２は、ＰＩＮコードを送信してきたＰＣ１５０を識別する情報を、不揮発性メモリ２０５ｃに記憶させる（図９：ステップＳ８１４）。
【００６７】
それと共に、ＰＣ１５０との間で通信が確立した後、表示制御部２５３は、ＰＣ１５０の表示画面と同一の画面を表示制御する（図９：ステップＳ８１５）。
【００６８】
なお、本実施形態では、テレビジョン放送受信装置１００と接続する外部装置が、ＰＣ１５０の場合について説明したが、外部装置はＰＣ１５０に制限されるものではなく、例えば、携帯電話端末やＰＤＡなどのモバイル機器であってもよい。
【００６９】
（変形例）  
第１の実施形態では、テレビジョン放送受信装置１００でリモート・ディスプレイを実現する例について説明した。しかしながら、リモート・ディスプレイを実現する機器は、テレビジョン放送受信装置に制限されるものではなく、ディスプレイに接続するセット・トップ・ボックスであってもよい。そこで、変形例ではセット・トップ・ボックスの例について説明する。
【００７０】
変形例に係るセット・トップ・ボックスは、図２に示す例において、表示装置２１１を除き、第１の実施形態のテレビジョン放送受信装置１００とほぼ同様の構成を備えているものとする。当該セット・トップ・ボックスは、ディスプレイと接続するためのインタフェースをさらに備えている。このインタフェースとしては、例えばＨＤＭＩ（High-Definition Multimedia Interface）がある。そして、セット・トップ・ボックスは、当該インタフェースを介して、外部のディスプレイと接続し、当該ディスプレイに対して地上波デジタル放送の番組の画面などをディスプレイに表示する制御を行う。
【００７１】
そして、当該セット・トップ・ボックスは、無線ＬＡＮ端子及びＷｉ−Ｆｉ通信Ｉ／Ｆを用いることで、無線通信回線を介して接続されたＰＣと情報を送受信することができる。
【００７２】
そして、セット・トップ・ボックスは、ＰＣからの接続要求を受け付け、ディスプレイに対してＰＣの画面と同一の画面を表示制御することができる。表示制御を行うまでの制御については、第１の実施形態と同様として説明を省略する。
【００７３】
なお、本変形例では、セット・トップ・ボックスの例について説明したが、ディスプレイなどの表示装置と外部インタフェースを介して接続する表示制御装置であればよい。
【００７４】
以上説明したとおり、第１の実施形態及び変形例によれば、テレビジョン放送受信装置（セット・トップ・ボックス）がＡＰと無線接続している場合にテレビジョン放送受信装置をリモート・ディスプレイの接続待ちの状態にすると、上記ＡＰとの無線接続が切断され、ＰＣからのリモート・ディスプレイの開始要求を受け付ける。これにより、テレビジョン放送受信装置において無線接続ＩＦが１つしか存在しないというハードウェアの制約があっても、ユーザが利便性を損うことなく、テレビジョン放送受信装置はＰＣからの接続要求を受け付けることができるようになる。
【００７５】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００７６】
１００…テレビジョン放送受信装置、１１０…リモート・コントローラ、１３０…アクセス・ポイント（ＡＰ）、１５０…パーソナル・コンピュータ（ＰＣ）、２０５…処理部、２５０…リモート表示部、２５１…受付部、２５２…制御部、２５３…表示制御部、２５４…取得部、２５５…受信制御部
【図１】
2012199620.tif 000003
【図２】
2012199620.tif 000004
【図３】
2012199620.tif 000005
【図４】
2012199620.tif 000006
【図５】
2012199620.tif 000007
【図６】
2012199620.tif 000008
【図７】
2012199620.tif 000009
【図８】
2012199620.tif 000010
【図９】
2012199620.tif 000011
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
アクセス・ポイント及び外部装置の少なくとも一方と無線接続する無線通信手段と、
前記アクセス・ポイントと第１のチャンネルで無線接続しているときに、外部装置と接続を行うための待機状態に移行させる操作を受け付ける受付手段と、
前記受付手段の操作の受け付けで前記待機状態に移行した際に前記アクセス・ポイントとの無線接続を切断し、全てのチャンネルで前記外部装置からの接続要求を受信する受信制御手段と、
前記受信制御手段が前記外部装置からの接続要求を受信して、前記無線通信手段が前記外部装置と第２のチャンネルで無線接続した場合に、前記外部装置から受信する該外部装置の画面情報を表示装置に表示させる表示制御手段と、を備え、
前記無線通信手段が前記外部装置と前記第２のチャンネルで無線接続した際に、前記第１のチャンネルと前記第２のチャンネルとが異なる場合、前記表示制御手段は、前記無線通信手段と前記外部装置との無線接続に用いるチャンネルを、前記第２のチャンネルから前記第１のチャンネルへ設定変更するように指示する画面を前記表示装置に表示させ、
前記第１のチャンネルと前記第２のチャンネルが同一であった場合、前記受信制御手段が前記外部装置からの接続要求を受信すると、前記無線通信手段が前記外部装置及び前記アクセス・ポイントと当該同一であったチャンネルで無線接続する、表示制御装置。
【請求項２】
前記受付手段の操作の受け付けで前記待機状態に移行してから所定の時間が経過した場合に、前記待機状態を解除させる制御手段を更に備えた請求項１に記載の表示制御装置。
【請求項３】
前記無線通信手段が前記外部装置との無線接続を切断したとき、又は、前記制御手段が待機状態を解除したとき、前記無線通信手段は、前記アクセス・ポイントとの無線接続が切断していた場合に、前記アクセス・ポイントと前記第１のチャンネルで再接続する請求項１に記載の表示制御装置。
【請求項４】
前記受付手段の操作の受け付けで前記待機状態に移行した際に、前記表示制御手段は、ネットワークを介した機能が利用できなくなる旨表示された画面を表示する請求項１に記載の表示制御装置。
【請求項５】
前記表示装置を備える請求項１に記載の表示制御装置。
【請求項６】
表示制御装置で実行される表示制御方法であって、
無線通信手段が、アクセス・ポイントと無線接続するステップと、
受付手段が、前記アクセス・ポイントと第１のチャンネルで無線接続しているときに、外部装置と接続を行うための待機状態に移行させる操作を受け付けるステップと、
受信制御手段が、前記受付手段の操作の受け付けで前記待機状態に移行した際に前記アクセス・ポイントとの無線接続を切断し、全てのチャンネルで前記外部装置からの接続要求を受信するステップと、
表示制御手段が、前記受信制御手段が前記外部装置からの接続要求を受信して、前記無線通信手段が前記外部装置と第２のチャンネルで無線接続した場合に、前記外部装置から受信する該外部装置の画面情報を表示装置に表示させるステップと、
前記無線通信手段が前記外部装置と前記第２のチャンネルで無線接続した際に、前記第１のチャンネルと前記第２のチャンネルとが異なる場合、前記無線通信手段と前記外部装置との無線接続に用いるチャンネルを、前記第２のチャンネルから前記第１のチャンネルへ設定変更するように指示する画面を前記表示制御手段が前記表示装置に表示させるステップと、
前記第１のチャンネルと前記第２のチャンネルが同一であった場合、前記受信制御手段が前記外部装置からの接続要求を受信すると、前記無線通信手段が前記外部装置及び前記アクセス・ポイントと当該同一であったチャンネルで無線接続するステップと、
を有する表示制御方法。
【手続補正２】
【補正対象書類名】明細書
【補正対象項目名】０００７
【補正方法】変更
【補正の内容】
【０００７】
一実施形態に係る表示制御装置は、無線通信手段と、受付手段と、受信制御手段と、表示制御手段と、を備える。無線通信手段は、アクセス・ポイント及び外部装置の少なくとも一方と無線接続する。受付手段は、アクセス・ポイントと第１のチャンネルで無線接続しているときに、外部装置と接続を行うための待機状態に移行させる操作を受け付ける。受信制御手段は、受付手段の操作の受け付けで待機状態に移行した際にアクセス・ポイントとの無線接続を切断し、全てのチャンネルで外部装置からの接続要求を受信する。表示制御手段は、受信制御手段が外部装置からの接続要求を受信して、無線通信手段が外部装置と第２のチャンネルで無線接続した場合に、外部装置から受信する該外部装置の画面情報を表示装置に表示させる。さらに、表示制御手段は、無線通信手段が外部装置と第２のチャンネルで無線接続した際に、第１のチャンネルと第２のチャンネルとが異なる場合、無線通信手段と外部装置との無線接続に用いるチャンネルを、第２のチャンネルから第１のチャンネルへ設定変更するように指示する画面を表示装置に表示させる。また、無線通信手段は、第１のチャンネルと第２のチャンネルが同一であった場合、受信制御手段が外部装置からの接続要求を受信すると、外部装置及びアクセス・ポイントと当該同一であったチャンネルで無線接続する。